(57)【要約】      （修正有）【課題】従来、マグネットを組設したものはあるが、一般の電気機器に用いられているコネクターであり、比較的大きいことから接続のための強力な磁着力を有した大きさや複数のマグネットを組み込むスペースを有していた。【解決手段】小型のコネクターであって、開口凹陥部１２を形成したプラグ受け本体１１と、プラグ受け本体１１に配設されたマグネット１３と、マグネット１３に接触させると共に開口凹陥部１２の底面１２ａを貫通させた磁性板１４とプラグ受け側接点部材１５と、プラグ受け側接点部材１５を固定させた板状バネ体１６と、嵌着部を突設したプラグ本体と、嵌着部に露出させて磁性板１４と当接するように埋設した吸着板と、吸着板に平行させて嵌着部に露出させたプラグ受け側接点部材１５と当接するプラグ側接点部材とを備えた。【選択図】図１
2008171652.tif 000002
【特許請求の範囲】
【請求項１】
携帯電話とその充電器を接続するような小型のプラグ受けとプラグから成るコネクターであって、前記プラグ受けは先端面に前記プラグの嵌着部を挿通させる開口凹陥部を形成した扁平函状のプラグ受け本体と、該プラグ受け本体の略中央に配設されたマグネットと、該マグネットの両側に夫々接触させると共に前記開口凹陥部の底面を貫通させた一対の磁性板と、該一対の磁性板に平行させて開口凹陥部の底面を夫々摺動自在に貫通させた複数のプラグ受け側接点部材と、該夫々のプラグ受け側接点部材の基端を固定させ絶えず開口凹陥部の底面の方向に弾性を付与する屈曲させた夫々の板状バネ体と、前記プラグは前記開口凹陥部に嵌入する嵌着部を突設したプラグ本体と、該プラグ本体の嵌着部の先端に露出させて前記一対の磁性板と当接するように埋設した一対の吸着板と、該一対の吸着板に平行させて嵌着部の先端に露出させ前記夫々のプラグ受け側接点部材と当接するプラグ側接点部材とを備えたことを特徴とする小型マグネットコネクター。
【請求項２】
前記プラグ受けの開口凹陥部の開口端辺の両側に相対的に夫々ヒンジ部を介装して枢動可能に装着した一対のシャッターと、該夫々のシャッターを絶えず閉鎖位置に維持するように弾性を付与するコイルスプリングとを備えたことを特徴とする請求項１に記載の小型マグネットコネクター。
【請求項３】
前記プラグ本体にＬＥＤチップを埋設して、該ＬＥＤチップの点灯により前記一対の磁性板の先端と前記一対の吸着板の先端とが接触することにより通電状態が確認できる構造としたことを特徴とする請求項１又は請求項２に記載の小型マグネットコネクター。
【発明の詳細な説明】
【技術分野】
【０００１】
本発明は、小型マグネットコネクターに関するものであって、更に、詳細には、携帯電話とその充電器との接続、コードレスヘッドホンの充電器との接続、ノート式パーソナルコンピュータの電源コードとを接続するような超小型のプラグ受けとプラグとの接続用のマグネットコネクターであり、更に、プラグ受けに塵芥等の侵入を防ぐシャッターを備えたコネクターに関するものである。
【背景技術】
【０００２】
従来、商業電源から電力を得る電気機器は氾濫しており、これ等に使用するプラグとプラグ受けから成るコネクターも夫々開発され使用されており、また、ポットや、炊飯器、加湿器等には電気的接続を容易にすると共にコードに不用意な力が加わった場合に容易に外れるマグネットが用いられたコネクターも生活で役に立っており、更に、塵芥や水の侵入を防ぐシャッター機構を備えたテーブルタップやコンセントが使用されている。
【０００３】
例えば、先に開示された、マグネットの磁着力によって着脱自在に結合される第１のアダプタ半体１と第２のアダプタ半体２とを備える。第１のアダプタ半体１は、既設のコンセントに挿抜可能な栓刃３１を有した第１のプラグ部１ａと、第２のアダプタ半体２に設けた端子ピン４１を受ける第１のレセプタクル部１ｂとを備える。第２のアダプタ半体２は、第１のレセプタクル部１ｂに着脱自在に接続される端子ピン４１を有した第２のプラグ部２ａと、プラグ３に設けたプラグ栓刃４が接続可能な第２のレセプタクル部２ｂとを備えるもの（特許文献１参照）や、電源コード引き出し方向の異なる複数種の保護ブッシング５ａ，５ｂのいずれか一種を電源コード４に一体成形すると共に、この保護ブッシング５ａ又は５ｂに設けた環状のケース係合部６を、プラグケース３の開口に設けた被係合部７に係合させてなるマグネットプラグであり、上記保護ブッシング５ａ又は５ｂの形状を選択するだけで、電源コード４の引き出し方向を自由に選択でき、接触バネ１、プラグケース３などの主要部品の共通化を図ることができるもの（特許文献２参照）や、プラグ栓刃Ｐの差込口６，６を形成した蓋体４に、蓋体４の内面４ｃに沿って各差込口６，６に臨む平板形状とされ、栓刃の非差込時には差込口をケース内面側で閉塞し、栓刃の差込時には栓刃の押圧を受けて差込口の閉塞を開放する閉塞片１３を有する弾性防塵片１２を設けたもの（特許文献３参照）等がある。
【特許文献１】特開平１０−１３４９１８号公報
【特許文献２】特開平５−２０５８１１号公報
【特許文献３】特開２００４−９５２８５号公報
【０００４】
然し乍ら、特許文献１や特許文献２に記載のものは、マグネットを組設したものであるが、一般の電気機器に用いられているコネクターであり、比較的大きいことから接続のための強力な磁着力を有した大きさや複数のマグネットを組み込むスペースを有しているものであるが、マグネットより吸着される金属等の異物の侵入を防ぐ構造には成っておらず、又、特許文献３に記載のものは、差込口に可撓性を有したシャッターは備えているものの、接続するためのマグネットは備えていないものである。
【発明の開示】
【発明が解決しようとする課題】
【０００５】
つまり、一般の家庭電器製品の電源用として用いられているコネクターは比較的大きなプラグや、コンセント、プラグ受けが用いられているために充分に磁着力を有した大きさや、複数のマグネットを組み込むことが可能であるが、携帯電話とその充電器との接続、コードレスヘッドホンの充電器との接続、ノート式パーソナルコンピュータの電源コードとを接続するような超小型のプラグ受けとプラグとのコネクターにおいては、接続端子が多芯である上に、ケーシングか小さいために充分な磁着力を有したマグネットを組込スペースが無かった。
【０００６】
更には、近年、携帯電話やコードレスヘッドホン、ノート式パーソナルコンピュータは年々小型化、軽量化され、机等の上に置いて充電や使用をすることから、不用意にコードを引っ張ってしまい床に落下させて高価な本体そのものを壊してしまい記憶させたデータが飛んでしまうような取り返しのできないような事故も頻発している実情である。
【課題を解決するための手段】
【０００７】
本発明の小型マグネットコネクターは、前述の課題に鑑み、鋭意研鑽の結果、小型のプラグ受けとプラグから成るコネクターであって、プラグ受けは先端面にプラグの嵌着部を挿通させる開口凹陥部を形成したプラグ受け本体と、プラグ受け本体の略中央に配設されたマグネットと、マグネットの両側に接触させると共に開口凹陥部の底面を貫通させた一対の磁性板と、一対の磁性板に平行させて開口凹陥部の底面を夫々摺動自在に貫通させた複数のプラグ受け側接点部材と、プラグ受け側接点部材を固定させた板状バネ体と、プラグは開口凹陥部に嵌入する嵌着部を突設したプラグ本体と、プラグ本体に先端に露出させて一対の磁性板と当接するように埋設した一対の吸着板と、一対の吸着板に平行させて嵌着部の先端に露出させプラグ受け側接点部材と当接するプラグ側接点部材とを備えたものであり、更に、プラグ受けの開口凹陥部の開口端辺に相対的にヒンジ部を介装して枢動可能に装着した一対のシャッターと、シャッターを絶えず閉鎖位置に維持するように弾性を付与するコイルスプリングとを備えたものであり、更には、プラグ本体にＬＥＤチップを埋設して、ＬＥＤチップの点灯により磁性板と吸着板とが接触することにより通電状態が確認できる構造としたものである。
【発明の効果】
【０００８】
本発明の小型マグネットコネクターは、携帯電話とその充電器との接続、コードレスヘッドホンの充電器との接続、ノート式パーソナルコンピュータの電源コードとを接続するような超小型のコネクターに、接続用のマグネットを備えたものであり、電源と携帯電話、コードレスヘッドホン、ノート式パーソナルコンピュータと充電器又は電源と接続中に不用意にコードを引っ張ったような場合でも、磁着した接続部が外れ電気機器本体の落下等を防止すると共に、磁気を有する開口部に磁着し易い塵芥物の侵入を防止するもので、有意義な効果を奏し実用性の高い画期的なものである。
【発明を実施するための最良の形態】
【０００９】
以下、本発明の小型マグネットコネクターの実施例の図面を用いて詳細に説明すると、図１は本発明の小型マグネットコネクターのプラグ受けの実施例を説明するための断面平面図であり、図２は本発明の小型マグネットコネクターのプラグ受けの実施例を説明するための正面図であり、図３は本発明の小型マグネットコネクターのプラグ受けの実施例を説明するための断面側面図であり、図４は本発明の小型マグネットコネクターのプラグの実施例を説明するための断面平面図であり、図５は本発明の小型マグネットコネクターのプラグの実施例を説明するための正面図であり、図６は本発明の小型マグネットコネクターの使用状態の斜視図である。
【００１０】
本発明は、小型マグネットコネクターに関するものであって、更に、詳細には、携帯電話とその充電器との接続、コードレスヘッドホンの充電器との接続、ノート式パーソナルコンピュータの電源コードとを接続するような超小型のプラグ受け１とプラグ２であり、接続用のマグネットと塵芥等の侵入を防ぐシャッターを備えたコネクターに関するものであり、請求項１に記載の小型マグネットコネクターは、携帯電話とその充電器を接続するような小型のプラグ受け１とプラグ２から成るコネクターであって、前記プラグ受け１は先端面に前記プラグ２の嵌着部２１ａを挿通させる開口凹陥部１２を形成した扁平函状のプラグ受け本体１１と、該プラグ受け本体１１の略中央に配設されたマグネット１３と、該マグネット１３の両側に夫々接触させると共に前記開口凹陥部１２の底面１２ａを貫通させた一対の磁性板１４と、該一対の磁性板１４に平行させて開口凹陥部１２の底面１２ａを夫々摺動自在に貫通させた複数のプラグ受け側接点部材１５と、該夫々のプラグ受け側接点部材１５の基端を固定させ絶えず開口凹陥部１２の底面１２ａの方向に弾性を付与する屈曲させた夫々の板状バネ体１６と、前記プラグ２は前記開口凹陥部１２に嵌入する嵌着部２１ａを突設したプラグ本体２１と、該プラグ本体２１の嵌着部２１ａの先端に露出させて前記一対の磁性板１４と当接するように埋設した一対の吸着板２２と、該一対の吸着板２２に平行させて嵌着部２１ａの先端に露出させ前記夫々のプラグ受け側接点部材１５と当接するプラグ側接点部材２３とを備えたことを特徴とするものである。
【００１１】
更に、請求項２に記載の小型マグネットコネクターは、請求項１に記載の小型マグネットコネクターにおいて、前記前記プラグ受け１の開口凹陥部１２の開口端辺の両側に相対的に夫々ヒンジ部１７ａを介装して枢動可能に装着した一対のシャッター１７と、該夫々のシャッター１７を絶えず閉鎖位置に維持するように弾性を付与するコイルスプリング１８とを備えたことを特徴とするものである。
【００１２】
更には、請求項３に記載の小型マグネットコネクターは、請求項１又は請求項２に記載の小型マグネットコネクターにおいて、前記プラグ本体２１にＬＥＤチップ２４を埋設して、該ＬＥＤチップ２４の点灯により前記一対の磁性板１４の先端と前記一対の吸着板２２の先端とが接触することにより通電状態が確認できる構造としたことを特徴とするものである。
【実施例】
【００１３】
即ち、本発明の小型マグネットコネクターは、携帯電話とその充電器、コードレスヘッドホンの充電器との接続、ノート式パーソナルコンピュータの電源コードとを接続するような超小型で多芯のプラグ受け１とプラグ２とから成るコネクターであって、プラグ本体２１は商業電源と接続するコードの先端に固定されているものであり、プラグ受け本体１１は電気機器の本体に先端面を露出させて埋設状態で装着されているものである。
【００１４】
そして、プラグ受け１のプラグ受け本体１１は合成樹脂で形成された巾が２１ｍｍ、高さが９ｍｍ、奥行きが２５ｍｍ程度の小型の扁平函状のもので、先端面を電気機器の本体に面一状にして露出させて装着させると共に、先端面には後述するプラグ２のプラグ本体２１に突設した嵌着部２１ａを挿脱自在に挿通させる底面１２ａを有した開口凹陥部１２を形成しているものである。
【００１５】
次に、マグネット１３は、ネオジウムマグネット（希土類．永久磁石）であり、プラグ受け本体１１の略中央に立設リブ（図示しない）等を形成して配設されているもので、後述する一対の磁性板１４を両側に接触させているものである。
【００１６】
次いで、一対の磁性板１４は、マグネット１３の両側に夫々平坦面を接触させると共に、先端は開口凹陥部１２の底面１２ａを貫通させて露出させたＳＰＣＣ等の鉄板であり、マグネット１３に磁着され磁気により磁気化されているものである。
【００１７】
更に、複数のプラグ受け側接点部材１５は、先端接続部に銀接点を付設した導電性のもので、図１〜２に図示する実施例では、一対の磁性板１４に平行させて、夫々の磁性板１４の間と、その両側に開口凹陥部１２の底面１２ａを摺動自在に貫通させて配設しており、基端は後述する板状バネ体１６に固定されているもので、この場合、左右対称となり、方向性が無く接続できるものであるが、使用する電気機器によりその接点端子の数は不特定であり、これに限定されるものではない。
【００１８】
更には、板状バネ体１６は、図３に図示する如く、略Ｗ型に屈曲させているもので、ベリリウム等の導電性の金属部材で形成されており、先端側にプラグ受け側接点部材１５の基端を固定しており、基端側は電気機器の本体回路に電気的に接続されるもので、プラグ受け側接点部材１５を絶えず開口凹陥部１２の底面１２ａに当接するように弾性を付与しているものである。
【００１９】
次に、プラグ２は、巾が１６ｍｍ、高さが１３ｍｍ、長さが３４ｍｍ程度の一般のプラグ形状をしたプラグ本体２１であり、プラグ本体２１の基端から延設されたコードにより商業電源から電源を得るもので、先端には後述する嵌着部２１ａを突設して一対の吸着板２２と複数のプラグ側接点部材２３を露出させているものである。
【００２０】
次いで、嵌着部２１ａは、プラグ本体２１の先端に突設しているもので、巾が１６ｍｍ、高さが５ｍｍ、長さが７ｍｍ程度のもので、プラグ受け１の開口凹陥部１２に挿脱自在に嵌入するものである。
【００２１】
更に、一対の吸着板２２は、プラグ本体２１の嵌着部２１ａの先端に露出させて埋設しているもので、プラグ受け本体１１に設けた一対の磁性板１４の先端と当接するようにしているものである。
【００２２】
更には、プラグ側接点部材２３は、一対の吸着板２２に平行させて先端に付設した銀接点を露出させて、プラグ受け側接点部材１５と先端を当接するようにしており、基端は商業電源からコードと電気的に接続しているものである。
【００２３】
また、一対のシャッター１７は、夫々開口凹陥部１２の巾方向の端部にヒンジ部１７ａとする枢動軸を突設した薄板状のもので、前記枢動軸を回動可能に軸着する軸受けを開口凹陥部１２の開口端辺の両側に形成したヒンジ部１７ａを介装して枢動可能に装着しているもので、つまり、一対のシャッター１７は相対的にスイングして開く両開きと成るものである。
【００２４】
そして、コイルスプリング１８は、夫々のシャッター１７を絶えず閉鎖位置に維持するように弾性を付与しているもので、一対のシャッター１７の裏面の夫々のヒンジ部１７ａの近傍の開口凹陥部１２の開口端辺の内側とシャッター１７の裏面とに当接させているものである。
【００２５】
そして、ＬＥＤチップ２４は、プラグ本体２１に露出させ埋設しているもので、一対の吸着板２２のどちらかと電気的に接続すると共に、電源コードの電線とも電気的に接続し、一対の磁性板１４も電気機器の回路と電気的に接続することにより、一対の磁性板１４の先端と一対の吸着板２２の先端とが接触することにより、ＬＥＤチップ２４が点灯して通電状態が確認できるものである。
【００２６】
本発明の小型マグネットコネクターは、電気機器の本体に装着させたプラグ受け本体１１と電源からのコードに接続されたプラグ本体２１とを接続するものであり、プラグ受け本体１１の開口凹陥部１２にプラグ本体２１の嵌着部２１ａを挿通させると、プラグ受け側接点部材１５の先端の銀接点とプラグ側接点部材２３の先端の銀接点とが当接するものである。
【００２７】
次いで、プラグ側接点部材２３の先端がプラグ受け側接点部材１５の先端を押圧すると、プラグ受け側接点部材１５は板状バネ体１６の弾性に抗して開口凹陥部１２の底面１２ａを摺動してプラグ受け本体１１の内側に移動するものであるが、プラグ受け本体１１の一対の磁性板１４の先端とプラグ本体２１の一対の磁性板１４の先端が当接すると共に磁着されるものである。
【００２８】
更には、プラグ受け本体１１の開口凹陥部１２は未使用状態では一対のシャッター１７により閉ざされており、塵芥や不用意に侵入物が侵入しないようにしているもので、プラグ受け本体１１の開口凹陥部１２にプラグ本体２１の嵌着部２１ａを一対のシャッター１７の夫々のコイルスプリング１８の弾性に抗して挿通させるもので、以後は前述と重複するので詳述は省略するものである。
【産業上の利用可能性】
【００２９】
本発明の小型マグネットコネクターは、携帯電話とその充電器との接続、コードレスヘッドホンの充電器との接続、ノート式パーソナルコンピュータの電源コードとを接続するような超小型のコネクターに、接続用のマグネットと塵芥等の侵入を防ぐシャッターを備えたものであり、電源と接続中に不用意にコードを引っ張ったような場合でも、磁着した接続部が外れ電気機器本体の落下等を防止すると共に、磁気を有する開口部に磁着し易い塵芥物の侵入を防止する小型マグネットコネクターを提供するものである。
【図面の簡単な説明】
【００３０】
【図１】図１は本発明の小型マグネットコネクターのプラグ受けの実施例を説明するための断面平面図である。
【図２】図２は本発明の小型マグネットコネクターのプラグ受けの実施例を説明するための正面図である。
【図３】図３は本発明の小型マグネットコネクターのプラグ受けの実施例を説明するための断面側面図である。
【図４】図４は本発明の小型マグネットコネクターのプラグの実施例を説明するための断面平面図である。
【図５】図５は本発明の小型マグネットコネクターのプラグの実施例を説明するための正面図である。
【図６】図６は本発明の小型マグネットコネクターの使用状態の斜視図である。
【符号の説明】
【００３１】
１      プラグ受け
１１    プラグ受け本体
１２    開口凹陥部
１２ａ  底面
１３    マグネット
１４    磁性板
１５    プラグ受け側接点部材
１６    板状バネ体
１７    シャッター
１７ａ  ヒンジ部
１８    コイルスプリング
２      プラグ
２１    プラグ本体
２１ａ  嵌着部
２２    吸着板
２３    プラグ側接点部材
２４    ＬＥＤチップ
【図１】
2008171652.tif 000003
【図２】
2008171652.tif 000004
【図３】
2008171652.tif 000005
【図４】
2008171652.tif 000006
【図５】
2008171652.tif 000007
【図６】
2008171652.tif 000008